(57)【要約】【課題】  ストッパーの位置調整を確実にし、ドラム缶のガタつきをなくす。【解決手段】  ドラム缶を横向き状態で二以上を並べて載置可能なドラム缶載置体と、ドラム缶載置体に載置されたドラム缶を抑えるストッパーを備え、ドラム缶載置体は、その上面にドラム缶を載置可能な載せ部を、外側面にガイドを備え、ガイドはドラム缶載置体の横長方向に横長に設けられ、ストッパーはガイドにその長手方向にスライド可能に取付けられ、固定具により当該ガイドの所望位置に固定することができ、当該固定位置でドラム缶載置体の載せ部の上に載置されたドラム缶に当接してドラム缶を位置決めできるようにした。ドラム缶載置体は、二本のレール材を連結材で連結したものとすることもできる。ストッパーは着脱式としてもよい。ドラム缶載置体は二段以上としてもよい。【選択図】図１
2014091623.tif 000002
【特許請求の範囲】
【請求項１】
ドラム缶を横向きにした状態で二以上を並べて載置可能な横長のドラム缶載置体と、当該ドラム缶載置体に載置されたドラム缶の転がりや位置ずれ等を抑えるストッパーとを備え、
前記ドラム缶載置体はその上面にドラム缶を載置可能な載せ部を備え、外側面にガイドを備え、当該ガイドはドラム缶載置体の横長方向に横長に設けられ、
前記ストッパーは前記ガイドにその長手方向にスライド可能に取付けられ、固定具により当該ガイドの所望位置に固定することができ、当該固定位置でドラム缶載置体の載せ部の上に載置されたドラム缶に当接してドラム缶を位置決め可能である、
ことを特徴とするドラム缶保管ラック。
【請求項２】
請求項１記載のドラム缶保管ラックにおいて、
ドラム缶載置体が間隔をあけて並べられた少なくとも二本一対の長尺のレール材が連結材で連結されたものである、
ことを特徴とするドラム缶保管ラック。
【請求項３】
請求項１又は請求項２記載のドラム缶保管ラックにおいて、
ストッパーがガイド溝に着脱可能である、
ことを特徴とするドラム缶保管ラック。
【請求項４】
請求項１から請求項３のいずれか１項に記載のドラム缶保管ラックにおいて、
ドラム缶載置体を二以上備え、上の段のドラム缶載置体は、下の段のドラム缶載置体の載せ部の上に載せたドラム缶の上に重ねることができ、
上の段の載置体と下の段の載置体が連結具によって上下に連結可能である、
ことを特徴とするドラム缶保管ラック。
【発明の詳細な説明】
【技術分野】
【０００１】
本発明はドラム缶保管ラックに関し、特に複数本のドラム缶を積み重ねて保管するのに適するドラム缶保管ラックに関するものである。
【背景技術】
【０００２】
複数本のドラム缶を積み重ねて保管するためのラックとして、本件出願の発明者が先に開発したドラム缶保管ラックがある（特許文献１）。このラックは、間隔をあけて配置された一対のレール部材上に、横に寝かせた（横倒しにした）ドラム缶を並べて載置可能なものである。夫々のレール部材にはストッパーを取り付けるための穴がレール部材の長手方向に等間隔で設けられており、その穴にストッパーを取り付けることによって、ドラム缶がレール部材の長手方向に転がるのを防止して、ドラム缶を安定した状態で支持できるようにしてある。
【先行技術文献】
【特許文献】
【０００３】
【特許文献１】特開２００１−１３９１４５号公報
【発明の概要】
【発明が解決しようとする課題】
【０００４】
しかし、前記特許文献１記載のドラム缶保管ラックでは、ストッパーのセット位置がレール部材に設けられた穴の位置に制限されてしまうため、ストッパーの微細な位置調整ができず、ドラム缶がレール部材の軸方向に位置ずれして、ガタつくことがあった。山形のストッパーの傾斜角度を変えることによって微調整することも不可能ではないが、このストッパーは傾斜角度をターンバックル式で調整するものであるため、角度調整に手間がかかり、面倒であった。
【０００５】
本発明の目的は、ドラム缶を載せるドラム缶載置体へのストッパーの取付け位置の微調整が容易にでき、ドラム缶をガタつきのない安定した状態で保管可能なドラム缶保管ラックを提供することにある。
【課題を解決するための手段】
【０００６】
本発明のドラム缶保管ラックは、ドラム缶を横向きにした（寝かせた）状態で二以上を並べて載置可能な横長のドラム缶載置体と、当該ドラム缶載置体に載置されたドラム缶の転がりや位置ずれ等を抑えるストッパーとを備えたドラム缶保管ラックであって、前記ドラム缶載置体はその上面にドラム缶を載置可能な載せ部を備え、外側面にガイドを備え、ガイドはドラム缶載置体の横長方向（ドラム缶配列方向）に横長に設けられ、前記ストッパーは前記ガイドにその長手方向にスライド可能に取付けられ、固定具により当該ガイドの所望位置に固定することができ、当該固定位置でドラム缶載置体の載せ部の上に載置されたドラム缶に当接してドラム缶を位置決めできるようにしたものである。
【０００７】
前記ドラム缶保管ラックのドラム缶載置体は、間隔をあけて並べた少なくとも二本一対の長尺のレール材を連結材で連結したものとすることもできる。ストッパーはガイド溝に着脱可能とすることもできる。
【０００８】
ドラム缶載置体を二以上備え、上の段のドラム缶載置体は、下の段のドラム缶載置体の載せ部の上に載せたドラム缶の上に重ねることができ、上の段の載置体と下の段の載置体が連結具によって上下に連結可能とすることもできる。
【発明の効果】
【０００９】
本発明のドラム缶保管ラックには、次のような効果がある。
（１）ストッパーを、ドラム缶の配列方向に長いガイド溝にそってスライド可能としたので、ストッパーの微細な位置調整が可能であり、ストッパーをドラム缶に確実に接触させて、ドラム缶の位置ずれ、転がり、ガタつきを防止することができる。
（２）固定具を締め付けたり緩めたりするだけで、ストッパーをガイド溝の所望位置に固定したりガイド溝にそってスライドさせたりすることができるので、作業性がよい。
（３）ドラム缶を載せる載せ部をドラム缶載置体の上面に、ガイドをドラム缶載置体の外側面に夫々設けたので、載せ部にドラム缶が載っていてもストッパーの位置調整ができる。
（４）ドラム缶載置体へのドラム缶の載せ下ろしは、ドラム缶を転がして行うことがあるため、特許文献１のような固定式のストッパーは、積み込みや積みのせ下ろしの邪魔になることがあるが、本件特許発明のストッパーを脱着式とした場合、ドラム缶の載せ下ろし時にストッパーを外すことができ、載せ下ろし作業の邪魔にならず、作業し易い。
（５）ドラム缶載置体を上下に二段以上重ねることができるので、限られたスペースで多くのドラム缶を保管することができる。
【図面の簡単な説明】
【００１０】
【図１】本発明のドラム缶保管ラックの一例を示すものであって、（ａ）はドラム缶を二段に積み重ねた状態を示す斜視図、（ｂ）は（ａ）の正面図。
【図２】図１に示すドラム缶保管ラックの分解斜視図。
【図３】ガイド溝とストッパーの構造を示す断面図。
【図４】（ａ）は二つのドラム缶保管ラックを連結する場合の一例を示す斜視図、（ｂ）は二つのドラム缶保管ラックを連結カバーで連結した場合の断面図。
【図５】（ａ）〜（ｅ）は本発明のドラム缶保管ラックの使用方法の一例を示す説明図。
【発明を実施するための形態】
【００１１】
（実施形態）
本発明のドラム缶保管ラックの一例について、図面を参照して説明する。本発明のドラム缶保管ラック１は一段でも二段以上でもよいが、ここでは、二段の場合を一例として説明する。
【００１２】
図１（ａ）（ｂ）に示すドラム缶保管ラック１は、複数本のドラム缶Ｄを横向きにした（寝かせた）状態で載置可能な横長のドラム缶載置体２と、ドラム缶載置体２に載置されたドラム缶Ｄの転がりや位置ずれ等を抑える（規制する）ストッパー３とを備えたものである。図１（ａ）（ｂ）では、同構造のドラム缶載置体２が、ドラム缶載置体２の四隅に上向きに立設された着脱式の連結具（縦支柱）４によって二段設けられている。縦支柱４は固定式とすることもできる。
【００１３】
前記ドラム缶載置体２は、図２に示すように、間隔をあけて平行（略平行を含む。本願明細書及び特許請求の範囲において同じ。）に配置された二本の長尺のレール材５の長手方向両端側がレール材５よりも短尺の連結材６で連結されたものであり、両レール材５の間にレール材５の間隔を保持するとともに、ドラム缶載置体の強度を確保するための補強材７が二本設けられている。
【００１４】
図１（ａ）に示すように、両レール材５の間隔Ｗ（離間距離）は、両レール材５間にドラム缶Ｄが落ちたり嵌ったりしないよう、ドラム缶Ｄの長さＨ（ドラム缶Ｄを立てた場合の高さ）よりも狭くなるようにしてある。図１（ａ）例では、ドラム缶Ｄの高さＨ８００ｍｍに対して、両レール材５の外側端面間の距離Ｗを５００ｍｍとしてある。この数値は一例であり、両レール材５の間隔Ｗはドラム缶Ｄのサイズに応じて適宜設定することができる。
【００１５】
前記レール材５と連結材６とは縦向きの貫通孔８ａを備えたジョイント具８を介して連結され、そのジョイント具８の貫通孔８ａに縦支柱４を差込めるようにしてある。貫通孔８ａに差込んだ縦支柱４は抜け止めピン９によって固定することができ、固定した縦支柱４によって、両レール材５上に載せたドラム缶Ｄの落下を防止するとともに、上方に他のドラム缶載置体２を取付けられるようにしてある。縦支柱４には角パイプや丸パイプなどを用いることができる。
【００１６】
前記レール材５の外側面（ドラム缶の載せ面とは異なる側面）には凹状（横向きコ字状）のガイド（ガイド溝１１）が長手方向に沿って形成され、前記ストッパー３をガイド溝１１に沿ってスライドさせられるようにしてある。ガイドは、ストッパーを当該ガイドに沿ってスライドさせられるものであれば、溝以外の形状であってもよい。図３に示すように、ガイド溝１１の上下の周縁には抜止め鍔１２（上側抜止め鍔１２ａと下側抜止め鍔１２ｂ）が設けられ、ガイド溝１１にセットしたストッパー３が不用意に外れないようにしてある。夫々のレール材５の側面（凹状ガイド溝の底部分）には、フォークリフトのツメ（フォーク）を挿通するための差込み孔１０が設けられ（図２）、ドラム缶Ｄをドラム缶載置体２に載置したまま搬送したり、他のドラム缶載置体２の上に積み上げたりできるようにしてある。不要な場合差込み孔１０は設けなくてよい。
【００１７】
前記ストッパー３は、図３に示すように、ガイド溝１１に沿って長手方向にスライド可能な移動体１３と、その移動体１３をガイド溝１１の任意位置（所望位置）で固定可能な固定具１６と、ドラム缶Ｄの側面に当接してドラム缶を押さえる押さえ具１５とを備えている。
【００１８】
一例として図２及び図３に示す移動体１３は、ガイド溝１１内に収まる大きさのスライド部１３ａとそのスライド部１３ａに取り付け可能な平板状の受け板１３ｂを備えている。スライド部１３ａは側面視横向きコ字状であり、その上辺側には上向きに折り返された取り付け面１３ｃが設けられている。取り付け面１３ｃには螺子孔が形成され、受け板１３ｂをボルト１８によって取り付けられるようにしてある。受け板１３ｂは、ストッパー３をガイド溝１１にセットする際にはスライド体１３ａと別々にしておき、スライド体１３ａをガイド溝１１に入れてからガイド溝１１に入れ、スライド体１３ａの取り付け面１３ｃに取り付ける。スライド部１３ａの縦向き面１３ｄにはその肉厚方向に貫通する螺子孔が形成され、その縦向き面１３ｄの内周面にナット１４が設けられている。ナット１４は縦向き面１３ｄに設けられた螺子孔と連通する位置に溶接固定してある。
【００１９】
受け板１３ｂの外面には、前記押さえ具１５を取り付けるための取付け台１７が設けられている。一例として図３に示す取付け台１７は側面視横向きコ字状であり、その縦向き面１７ａと受け板１３ｂの外面とが向い合う向きで受け板１３ｂに固定されている。受け板１３ｂと取付け台１７は図３に示すように溶接で固定することもそれ以外の手段で固定することもできる。取付け台１７の上側横向き面１７ｂと下側横向き面１７ｃには、前記押さえ具１５を取り付けるための取付け孔１９が開口されている。図３に示す例では、取付け孔１９は夫々の横向き面１７ｂ、１７ｃに二つずつ設けられているが、その数は押さえ具１５に応じて適宜設計することができる。取付け孔１９は上側横向き面１７ｂと下側横向き面１７ｃのいずれか一方にのみ設けることもできる。取付け孔１９の形状は図２のような長孔に限らず、丸孔等であってもよく、その開口向きや開口位置も任意に設計することができる。取付け台１７は、平板や側面視Ｌ字状板など、押さえ具１５を取り付けられる限り、これ以外の形状であってもよい。
【００２０】
図３に示すように、前記固定具１６は、移動体１３に固定されたナット１４に螺合可能なネジ棒１６ａと、そのネジ棒１６ａの先端に設けられた持ち手部１６ｂを備えている。固定具１６のネジ棒１６ａをナット１４に差込んだ状態で、固定具１６締め付けることによって、移動体１３をガイド溝１１内に固定することができ、固定具１６を緩めることによって、移動体１３をガイド溝１１に沿って移動（スライド）させることができる。より具体的には、固定具１６を締めつけてネジ棒１６ａをナット１４にねじ込むと、移動体１３が図３のＸ矢印方向に引きつけられ、移動体１３の下側横向き面１３ｅがガイド溝１１周縁の下側抜止め鍔１２ｂに、移動体１３の受け板１３ｂが上側抜止め鍔１２ａに、夫々当接して、移動体１３がガイド溝１１内に固定される。一方、固定具１６を緩めると、移動体１３が図３のＹ矢印方復帰し、移動体１３の下側横向き面１３ｅと移動体１３の受け板１３ｂの夫々が、ガイド溝１１周縁の下側抜止め鍔１２ｂと上側抜止め鍔１２ａから離れて、移動体１３がガイド溝１１内でフリーになる（スライド可能となる）。
【００２１】
前記押さえ具１５は、ドラム缶Ｄに当接する当接部１５ａと、取付け台１７の取付け孔１９に差込み可能な差込み片１５ｂを備えたものである。レール材５上に載せられるドラム缶Ｄは、押さえ具１５の当接部１５によって支持される。図２に示す押さえ具１５の差し込み片１５ｂは取付け孔１９に差込み可能な形状であり、その一部に切り欠き部２０を設けてある。切り欠き部２０は取付け台１７の上側横向き面１７ｂと下側横向き面１７ｃの双方又はいずれか一方に係止できるようにしてある。押さえ具１５の形状や構造は、これ以外であってもよい。
【００２２】
本発明のドラム缶保管ラック１は、図４（ａ）（ｂ）に示すように、二以上のドラム缶保管ラック１を長手方向に連結することもできる。二以上のドラム缶保管ラック１の連結には図４（ａ）（ｂ）に示すような連結カバー２１を用いることができる。この連結カバー２１は連結材６と同程度の長さの下向きコ字状の部材であり、二つの下向き片２１ａ、２１ｂの夫々に、連結ピン２２を挿通可能なピン孔２３が二つずつ設けられている。
【００２３】
前記連結カバー２１を用いて二以上のドラム缶保管ラック１を連結するには、例えば次のように行う。
（１）両ドラム缶保管ラック１の連結材６同士を突き合わせる。
（２）連結材６の突き合わせた面の上方から連結カバー２１を被せ、連結カバー２１のピン孔２３と連結材６の連結孔２４との位置を一致させる。
（３）下向き片２１ａの外側から、ピン孔２３及び連結孔２４に連結ピン２２を挿通し、連結ピン２２の他端側を固定する。
【００２４】
前記連結方法は一例であり、ドラム缶保管ラック１はこれ以外の方法で連結することもできる。
【００２５】
（ドラム缶保管ラックの使用例）
本発明のドラム缶保管ラックの使用例を、図５（ａ）〜（ｅ）を参照して説明する。ドラム缶載置体２にドラム缶Ｄを載せる場合、図５（ａ）に示すように、一端側（図５（ａ）では右側）の縦支柱４を外して、その側方からドラム缶Ｄを横倒しにして転がしながらドラム缶Ｄ同士に隙間ができないように載置していく。所望数（ここでは五缶）のドラム缶Ｄをレール５（載せ面）上に載せたのち、図５（ｂ）に示すように、ドラム缶Ｄの送り込み側の端部（同図の右側）に縦支柱４をセットし、ドラム缶Ｄが不用意にレール５から落ちないようにする。その後、図５（ｃ）に示すように、押さえ具１５を取付け台１７に取り付けて、その押さえ具１５がドラム缶Ｄに当接するまでストッパー３をスライドさせ、ドラム缶Ｄがガタつかないように固定する。ストッパー３での固定は、図５（ｂ）の縦支柱４をセットする前に行うこともできる。ストッパー３の解放及び固定は固定具１６の調節によって行う。
【００２６】
図５（ｃ）のように固定したドラム缶Ｄを、所望本数（ここでは一缶）レール５から降ろす場合、図５（ｄ）に示すように、ストッパー３の押さえ具１５と一端側（図５（ｄ）では右側）の縦支柱４を外して同図の矢印方向にドラム缶を転がし、レール５の端部からドラム缶Ｄを順次降ろしていく。ドラム缶Ｄを降ろしたのち、そのドラム缶Ｄがあった部分にスペースが生じるため、図５（ｅ）に示すようにストッパー３の押さえ具１５を取付け台１７に取り付け、押さえ具１５が残りのドラム缶Ｄに当接するまでストッパー３をスライドさせる。押さえ具１５の当接部１５ａがドラム缶Ｄに当接したところでストッパー３の固定具１６を締め付け、ドラム缶Ｄがガタつかないように固定する。
【００２７】
（その他の使用例）
ドラム缶載置体２を二段以上積み上げる場合、例えば、図５（ｃ）のようにドラム缶Ｄを積み込んだドラム缶載置体２を別途準備し、一方のドラム缶載置体２を図示しないフォークリフト等で持ち上げ、他のドラム缶載置体２の上に積み上げて所望段数のドラム缶保管ラック１とすることができる。
【産業上の利用可能性】
【００２８】
本発明のドラム缶保管ラック１は、ドラム缶Ｄ以外であってもドラム缶Ｄと同様の円柱形状の物品を保管するためのラックとして用いることもできる。たとえば、このラックを小さめのサイズに設計すれば、ペンキ缶や缶詰などの保管ラック等として用いることもできる。
【符号の説明】
【００２９】
１      ドラム缶保管ラック
２      ドラム缶載置体
３      ストッパー
４      連結具（縦支柱）
５      レール材
６      連結材
７      補強材
８      ジョイント具
８ａ    貫通孔
９      抜け止めピン
１０    差込み孔
１１    ガイド溝
１２    抜止め鍔
１２ａ  上側抜止め鍔
１２ｂ  下側抜止め鍔
１３    移動体
１３ａ  スライド部
１３ｂ  受け板
１３ｃ  取り付け面
１３ｄ  縦向き面
１３ｅ  下側横向き面
１４    ナット
１５    押さえ具
１５ａ  当接部
１５ｂ  差込み片
１６    固定具
１６ａ  ネジ棒
１６ｂ  持ち手部
１７    取付け台
１７ａ  （取付け台の）縦向き面
１７ｂ  （取付け台の）上側横向き面
１７ｃ  （取付け台の）下側横向き面
１８    ボルト
１９    取付け孔
２０    切り欠き部
２１    連結カバー
２１ａ、２１ｂ  （連結カバーの）下向き片
２２    連結ピン
２３    ピン孔
２４    連結孔
Ｄ    ドラム缶
Ｈ    ドラム缶の長さ（ドラム缶を立てた場合の高さ）
Ｗ    両レール材の外側端面間の距離
【図１】
2014091623.tif 000003
【図２】
2014091623.tif 000004
【図３】
2014091623.tif 000005
【図４】
2014091623.tif 000006
【図５】
2014091623.tif 000007